【手続補正書】
【提出日】平成25年10月22日(2013.10.22)
【手続補正１】
【補正対象書類名】特許請求の範囲
【補正対象項目名】全文
【補正方法】変更
【補正の内容】
【特許請求の範囲】
【請求項１】
仮想マシン上で動作するプログラム、当該プログラムにより映像の再生が制御可能な仮想マシン利用型コンテンツ、および、前記仮想マシン利用型コンテンツの再生制御情報を含むプレイリストファイル、が記録された記録媒体から、前記映像を再生する処理を行う再生部と、
制御部と、を備える映像情報再生装置が行う映像情報再生方法であって、
前記制御部が、前記仮想マシン利用型コンテンツが、前記プログラムが起動しているとき及び前記プログラムが起動していないときの何れでも映像を再生することのできる第１種類のコンテンツであるか、前記プログラムが起動しているときにのみ映像を再生することのできる第２種類のコンテンツであるかを、前記再生制御情報から判定する判定過程と、
前記仮想マシン利用型コンテンツの映像の再生が停止され、当該映像の再生を再開する際に、前記制御部が、前記判定過程で前記仮想マシン利用型コンテンツが前記第１種類のコンテンツであると判定されている場合には、前記プログラムを起動させないで、前記再生部に、前記映像の再生が停止された位置から、前記映像の再生を再開させる再生再開過程と、を有し、
前記再生制御情報には、前記仮想マシン利用型コンテンツの映像の再生中に特定のユーザ操作を許可するか否かを示す操作情報が含まれており、
前記制御部は、前記判定過程において、前記操作情報が、前記仮想マシン利用型コンテンツの映像の再生中に特定のユーザ操作を許可することを示す場合には、前記仮想マシン利用型コンテンツが第１種類のコンテンツであると判定し、前記操作情報が、前記仮想マシン利用型コンテンツの映像の再生中に特定のユーザ操作を許可しないことを示す場合には、前記仮想マシン利用型コンテンツが第２種類のコンテンツであると判定すること
を特徴とする映像情報再生方法。
【請求項２】
前記再生再開過程において、前記制御部は、前記判定過程で前記仮想マシン利用型コンテンツが前記第２種類のコンテンツであると判定されている場合には、前記プログラムを起動させて、前記再生部に、前記映像の再生が停止された位置とは異なる、予め定められた位置から、前記映像の再生を再開させること
を特徴とする請求項１に記載の映像情報再生方法。
【請求項３】
前記予め定められた位置は、前記記録媒体に記憶されている情報の先頭位置、又は、前記仮想マシン利用型コンテンツの先頭位置であること
を特徴とする請求項２に記載の映像情報再生方法。
【請求項４】
前記再生制御情報には、前記仮想マシン利用型コンテンツの映像をシーケンシャルに再生するか否かを示すシーケンシャル情報が含まれており、
前記制御部は、前記判定過程において、前記シーケンシャル情報が、前記仮想マシン利用型コンテンツの映像をシーケンシャルに再生することを示す場合には、前記仮想マシン利用型コンテンツが第１種類のコンテンツであると判定し、前記シーケンシャル情報が、前記仮想マシン利用型コンテンツの映像をシーケンシャルに再生しないことを示す場合には、前記仮想マシン利用型コンテンツが第２種類のコンテンツであると判定すること
を特徴とする請求項１から３の何れか一項に記載の映像情報再生方法。
【請求項５】
前記再生制御情報には、前記仮想マシン利用型コンテンツの映像の再生中に特定の箇所においてスチル動作を行うか否かを示すスチル情報が含まれており、
前記制御部は、前記判定過程において、前記スチル情報が、前記仮想マシン利用型コンテンツの映像の再生中に特定の箇所においてスチル動作を行わないことを示す場合には、前記仮想マシン利用型コンテンツが第１種類のコンテンツであると判定し、前記スチル情報が、前記仮想マシン利用型コンテンツの映像の再生中に特定の箇所においてスチル動作を行うことを示す場合には、前記仮想マシン利用型コンテンツが第２種類のコンテンツであると判定すること
を特徴とする請求項１から３の何れか一項に記載の映像情報再生方法。
【請求項６】
前記再生制御情報には、前記仮想マシン利用型コンテンツの映像の再生時間を示す再生時間情報が含まれており、
前記制御部は、前記判定過程において、前記再生時間情報に基づいて算出される総再生時間が、予め定められた時間よりも長い場合には、前記仮想マシン利用型コンテンツが第１種類のコンテンツであると判定し、前記再生時間情報に基づいて算出される総再生時間が、予め定められた時間以下の場合には、前記仮想マシン利用型コンテンツが第２種類のコンテンツであると判定すること
を特徴とする請求項１から３の何れか一項に記載の映像情報再生方法。
【請求項７】
前記再生制御情報には、前記仮想マシン利用型コンテンツの映像をシーケンシャルに再生するか否かを示すシーケンシャル情報、前記仮想マシン利用型コンテンツの映像の再生中に特定のユーザ操作を許可するか否かを示す操作情報、前記仮想マシン利用型コンテンツの映像の再生中に特定の箇所においてスチル動作を行うか否かを示すスチル情報、及び、前記仮想マシン利用型コンテンツの映像の再生時間を示す再生時間情報の何れか二つ以上が含まれており、
前記制御部は、前記判定過程において、前記シーケンシャル情報が、前記仮想マシン利用型コンテンツの映像をシーケンシャルに再生しないことを示す場合、前記操作情報が、前記仮想マシン利用型コンテンツの映像の再生中に特定のユーザ操作を許可しないことを示す場合、前記スチル情報が、前記仮想マシン利用型コンテンツの映像の再生中に特定の箇所においてスチル動作を行うことを示す場合、及び、前記再生時間情報に基づいて算出される総再生時間が、予め定められた時間以下の場合の１つ以上を満たすときには、前記仮想マシン利用型コンテンツが第２種類のコンテンツであると判定し、これらの情報に基づいて、前記仮想マシン利用型コンテンツが第２種類のコンテンツであると判定されない場合には、前記仮想マシン利用型コンテンツが第１種類のコンテンツであると判定すること
を特徴とする請求項１から３の何れか一項に記載の映像情報再生方法。
【請求項８】
仮想マシン上で動作するプログラム、前記プログラムにより映像の再生が制御可能な仮想マシン利用型コンテンツ、および、前記仮想マシン利用型コンテンツの再生制御情報を含むプレイリストファイル、が記録された記録媒体から、前記映像を再生する処理を行う再生部と、
前記仮想マシン利用型コンテンツが、前記プログラムが起動しているとき及び前記プログラムが起動していないときの何れでも映像を再生することのできる第１種類のコンテンツであるか、前記プログラムが起動しているときにのみ映像を再生することのできる第２種類のコンテンツであるかを、前記再生制御情報から判定する判定部と、
前記仮想マシン利用型コンテンツの映像の再生が停止され、当該映像の再生を再開する際に、前記判定部が、前記仮想マシン利用型コンテンツが前記第１種類のコンテンツであると判定している場合には、前記プログラムを起動させないで、前記再生部に、前記映像の再生が停止された位置から、前記映像の再生を再開させる再生制御部と、を備え、
前記再生制御情報には、前記仮想マシン利用型コンテンツの映像の再生中に特定のユーザ操作を許可するか否かを示す操作情報が含まれており、
前記判定部は、前記操作情報が、前記仮想マシン利用型コンテンツの映像の再生中に特定のユーザ操作を許可することを示す場合には、前記仮想マシン利用型コンテンツが第１種類のコンテンツであると判定し、前記操作情報が、前記仮想マシン利用型コンテンツの映像の再生中に特定のユーザ操作を許可しないことを示す場合には、前記仮想マシン利用型コンテンツが第２種類のコンテンツであると判定すること
を特徴とする映像情報再生装置。
【請求項９】
前記再生制御部は、前記判定部が、前記仮想マシン利用型コンテンツが前記第２種類のコンテンツであると判定している場合には、前記プログラムを起動させて、前記再生部に、前記映像の再生が停止された位置とは異なる予め定められた位置から、前記映像の再生を再開させること
を特徴とする請求項８に記載の映像情報再生装置。
【請求項１０】
前記予め定められた位置は、前記記録媒体に記憶されている情報の先頭位置、又は、前記仮想マシン利用型コンテンツの先頭位置であること
を特徴とする請求項９に記載の映像情報再生装置。
【請求項１１】
前記再生制御情報には、前記仮想マシン利用型コンテンツの映像をシーケンシャルに再生するか否かを示すシーケンシャル情報が含まれており、
前記判定部は、前記シーケンシャル情報が、前記仮想マシン利用型コンテンツの映像をシーケンシャルに再生することを示す場合には、前記仮想マシン利用型コンテンツが第１種類のコンテンツであると判定し、前記シーケンシャル情報が、前記仮想マシン利用型コンテンツの映像をシーケンシャルに再生しないことを示す場合には、前記仮想マシン利用型コンテンツが第２種類のコンテンツであると判定すること
を特徴とする請求項８から１０の何れか一項に記載の映像情報再生装置。
【請求項１２】
前記再生制御情報には、前記仮想マシン利用型コンテンツの映像の再生中に特定の箇所においてスチル動作を行うか否かを示すスチル情報が含まれており、
前記判定部は、前記スチル情報が、前記仮想マシン利用型コンテンツの映像の再生中に特定の箇所においてスチル動作を行わないことを示す場合には、前記仮想マシン利用型コンテンツが第１種類のコンテンツであると判定し、前記スチル情報が、前記仮想マシン利用型コンテンツの映像の再生中に特定の箇所においてスチル動作を行うことを示す場合には、前記仮想マシン利用型コンテンツが第２種類のコンテンツであると判定すること
を特徴とする請求項８から１０の何れか一項に記載の映像情報再生装置。
【請求項１３】
前記再生制御情報には、前記仮想マシン利用型コンテンツの映像の再生時間を示す再生時間情報が含まれており、
前記判定部は、前記再生時間情報に基づいて算出される総再生時間が、予め定められた時間よりも長い場合には、前記仮想マシン利用型コンテンツが第１種類のコンテンツであると判定し、前記再生時間情報に基づいて算出される総再生時間が、予め定められた時間以下の場合には、前記仮想マシン利用型コンテンツが第２種類のコンテンツであると判定すること
を特徴とする請求項８から１０の何れか一項に記載の映像情報再生装置。
【請求項１４】
前記再生制御情報には、前記仮想マシン利用型コンテンツの映像をシーケンシャルに再生するか否かを示すシーケンシャル情報、前記仮想マシン利用型コンテンツの映像の再生中に特定のユーザ操作を許可するか否かを示す操作情報、前記仮想マシン利用型コンテンツの映像の再生中に特定の箇所においてスチル動作を行うか否かを示すスチル情報、及び、前記仮想マシン利用型コンテンツの映像の再生時間を示す再生時間情報の何れか二つ以上が含まれており、
前記判定部は、前記シーケンシャル情報が、前記仮想マシン利用型コンテンツの映像をシーケンシャルに再生しないことを示す場合、前記操作情報が、前記仮想マシン利用型コンテンツの映像の再生中に特定のユーザ操作を許可しないことを示す場合、前記スチル情報が、前記仮想マシン利用型コンテンツの映像の再生中に特定の箇所においてスチル動作を行うことを示す場合、及び、前記再生時間情報に基づいて算出される総再生時間が、予め定められた時間以下の場合の１つ以上を満たすときには、前記仮想マシン利用型コンテンツが第２種類のコンテンツであると判定し、これらの情報に基づいて、前記仮想マシン利用型コンテンツが第２種類のコンテンツであると判定されない場合には、前記仮想マシン利用型コンテンツが第１種類のコンテンツであると判定すること
を特徴とする請求項８から１０の何れか一項に記載の映像情報再生装置。
【手続補正２】
【補正対象書類名】明細書
【補正対象項目名】０００７
【補正方法】変更
【補正の内容】
【０００７】
本発明の１態様に係る映像情報再生方法は、仮想マシン上で動作するプログラム、当該プログラムにより映像の再生が制御可能な仮想マシン利用型コンテンツ、および、前記仮想マシン利用型コンテンツの再生制御情報を含むプレイリストファイル、が記録された記録媒体から、前記映像を再生する処理を行う再生部と、制御部と、を備える映像情報再生装置が行う映像情報再生方法であって、前記制御部が、前記仮想マシン利用型コンテンツが、前記プログラムが起動しているとき及び前記プログラムが起動していないときの何れでも映像を再生することのできる第１種類のコンテンツであるか、前記プログラムが起動しているときにのみ映像を再生することのできる第２種類のコンテンツであるかを、前記再生制御情報から判定する判定過程と、前記仮想マシン利用型コンテンツの映像の再生が停止され、当該映像の再生を再開する際に、前記制御部が、前記判定過程で前記仮想マシン利用型コンテンツが前記第１種類のコンテンツであると判定されている場合には、前記プログラムを起動させないで、前記再生部に、前記映像の再生が停止された位置から、前記映像の再生を再開させる再生再開過程と、を有し、前記再生制御情報には、前記仮想マシン利用型コンテンツの映像の再生中に特定のユーザ操作を許可するか否かを示す操作情報が含まれており、前記制御部は、前記判定過程において、前記操作情報が、前記仮想マシン利用型コンテンツの映像の再生中に特定のユーザ操作を許可することを示す場合には、前記仮想マシン利用型コンテンツが第１種類のコンテンツであると判定し、前記操作情報が、前記仮想マシン利用型コンテンツの映像の再生中に特定のユーザ操作を許可しないことを示す場合には、前記仮想マシン利用型コンテンツが第２種類のコンテンツであると判定することを特徴とする。